(57)【要約】【課題】    本発明はクリアアクリルフォトフレームに関し、クリアアクリル製表面プレート及びクリアアクリル製背面プレートが完全な透明体であるので、両プレートより寸法の小さい画材を挟持して展示するときには、画材が浮遊するように視覚できることを特徴とするクリアアクリルフォトフレームを提供する。【解決手段】    クリアアクリル製表面プレートと該クリアアクリル製表面プレートと一体的に形成された表面プレート周縁フレーム内側に嵌着されるクリアアクリル製背面プレートによって画材を挟持するように構成したことを特徴とし、背面プレートから一体的に形成され、弾力性を有する画材押え板の先端に画材押え突起が形成されており、該画材押え突起によって画材が押圧されて固定されるように構成したクリアアクリルフォトフレームであって、スタンド取付枠にスタンドの基部を差し込み、又は共用固定枠のビス穴を利用して、画材を横長又は縦長に展示できるように構成したことを特徴とするクリアアクリルフォトフレームである。【選択図】図９
2017051575.tif 000002
【特許請求の範囲】
【請求項１】
クリアアクリル製の表面プレートと一体的に形成された周縁フレームの内面に設けられた凹部に、クリアアクリル製の背面プレートに設けられた突起が入ることにより画材を挟持するように構成したことを特徴とするクリアアクリルフォトフレーム。
【請求項２】
背面プレートから一体的に形成され、且つ周辺の材厚より薄く構成されている為、弾力性が有り、画材の厚みに関係なく画材に対し常に一定のテンションが掛かり画材を固定するように構成したことを特徴とする請求項１記載のクリアアクリルフォトフレーム。
【請求項３】
画材に合わせて縦方向又は横方向位置に展示できるように背面プレートに一体的に形成された４カ所の共用固定枠にはそれぞれビス穴が設けられており、背面プレートをまず先に壁などにビスを用いて止め固定する。この際４カ所のビス穴の内２カ所を壁にビス止め固定することにより振動などによりクリアアクリルフォトフレームが斜めに傾くことを防ぐことができ、次いで表面プレートを背面プレートに嵌め込むことができるように構成したことを特徴とする請求項１記載のクリアアクリルフォトフレーム。
【請求項４】
背面プレートに一体的に形成された４カ所の共用固定枠にスタンドの基部を差し込み、画材を横方向又は縦方向位置に展示できるように構成されたことを特徴とする請求項１記載のクリアアクリルフォトフレーム。
【請求項５】
クリアアクリル製の表面プレート及びクリアアクリル製の背面プレートを合わせ固定する為のボルトが無く、壁掛け及びスタンド受け用の共用枠が画材面積より内側に設けられているので、表面プレートからは画材以外、何ら障害になるものが見えず且つプレートは完全な透明体であるので、両プレートより寸法の小さい画材を展示する時には、まるで画材がプレート内で浮遊しているかのような視覚になることを特徴とする請求項１記載のクリアアクリルフォトフレーム。
【発明の詳細な説明】
【技術分野】
【０００１】  本発明はクリアアクリルフォトフレームに関し、特にクリアアクリル製表面プレートと一体的に形成された周縁フレーム部に嵌着されるクリアアクリル製背面プレートによって、画材を挟持するように構成したことを特徴とするクリアアクリルフォトフレームに関する。【０００２】  また、本発明のクリアアクリルフォトフレームによれば、クリアアクリル製表面プレート及びクリアアクリル製背面プレートが完全な透明体であるので、両プレートより寸法の小さい画材を展示するときには、画材がフレーム内で浮遊しているかのような視覚になることを特徴とするクリアアクリルフォトフレームを提供する。
【背景技術】
【０００３】  従来から知られているフォトフレームは、特許文献１に記載されているように、表板と裏板とを矩形に形成し、それぞれの板材の四隅の貫通孔にボルトを通してナット締めしたものであって、表板と裏板との間に挟持された展示物を縦長又は横長に展示するものであった【０００４】  また、特許文献２に記載されているように、フォトフレームの透明ケースに、写真等が容易に入れられるように、裏面に差し込み口を設けたものであった。【０００５】
【特許文献１】  特開２００８−１６８０４０号公報
【特許文献２】  実用新案登録第３０３０１６０号公報
【発明の概要】
【発明が解決しようとする課題】
【０００６】  前記せる引用文献１の特開２００８−１６８０４０号公報では、それぞれの板材の四隅の貫通孔にボルトを通してナット締めする時の調整に手間のかかるものであった。【０００７】  また、前記せる実用新案登録第３０３０１６０号公報では、フォトフレームの透明ケースに、写真等が容易に入れられるように、裏面に差し込み口を設けたものであった。
【課題を解決するための手段】
【０００８】  本発明のクリアアクリルフォトフレームは、クリアアクリル製表面プレートと一体に形成された周縁フレーム内側に嵌着されるクリアアクリル製背面プレートによって、画材を挟持するように構成されたことを特徴とし、背面プレートから一体的に形成され、弾力性を有する画材押え板の先端に画材押え突起が形成されており、該画材押え突起によって画材が常に一定のテンションで押圧されて固定されるように構成したことを特徴とし、クリアアクリル製背面プレートに形成された４カ所の共用固定枠にスタンドの基部を差し込み、画材を縦向き又は横向きに展示できるようにしたことを特徴とし、４カ所の共用固定枠にはそれぞれビス穴が設けられており、さらにこの穴にビス等を用いてクリアアクリル製背面プレートを先に壁などにビス止め固定することができ、次いでクリアアクリル製表面プレートの周縁の凹みをクリアアクリル製背面プレートに設けられた突起に合わせることにより嵌着することができるように構成したことを特徴とし、且つ、クリアアクリル製表面プレート及びクリアアクリル製背面プレートが完全な透明体であるので、両プレートより寸法の小さい画材を展示するときには、画材がプレート内で浮遊しているかのように視覚できることを特徴とするクリアアクリルフォトフレームを提供する。
【発明の効果】
【０００９】  以上説明したような本発明のクリアアクリルフォトフレームによれば、壁又はスタンド取付枠にスタンド９の基部を差し込み、画材を横長又は縦長に傾斜して展示できる効果がある。【００１０】  また、背面プレートから一体的に形成され、弾力性を有する画材押え板４１の先端に画材押え突起４が形成されており、該画材押え突起４によって画材８が押圧されて固定されるように構成されているので、画材８が容易に移動してしまうことがない。【００１１】  また、画材押え板４１は、一定の弾性押し圧力を有しているので、収納される画材８の任意の厚さに対応することができる。【００１２】  また、表面プレート１及び背面プレート２によって、画材８を挟持した状態で、表面プレートの表面からの押圧力が加えられても、画材８や背面プレートが不用意に脱落することがない。
【図面の簡単な説明】
【００１３】
【図１】  表面プレートを背面から見た平面図である。
【図２】  背面プレートを背面から見た平面図である。
【図３】  表面プレートに背面プレートを嵌着し、背面から見た平面図である。
【図４】  壁に取り付けた場合の断面図である。
【図５】  スタンドの取付断面図である。
【図６】  表面プレートの部分縦断面図である。
【図７】  背面プレートの部分縦断面図である。
【図８】  クリアアクリルフォトフレームの載置状態の表面から見た斜視図である。
【図９】  クリアアクリルフォトフレームの載置状態の背面から見た斜視図である。
【００１４】  以下、図面に基づいて、本発明を実施するための最良の形態を具体的に説明する。【００１５】  本発明に基づくクリアアクリルフォトフレームによれば、クリアアクリル製表面プレート１と一体的に形成された表面プレート周縁フレーム部１０に嵌着されるクリアアクリル製背面プレート２によって、画材８を挟持するように構成されている。【００１６】  背面プレート２から一体的に形成され、弾力性を有する画材押え板４１の先端にそれぞれ画材押え突起４が形成されており、該画材押え突起４によって画材８が図４乃至図５に示すように固定されている。【００１７】  共用固定枠３１にスタンド９の基部を差し込み画材８に合わせて縦方向及び横方向に展示することができる。【００１８】  クリアアクリルフォトフレームを壁１００に固定する際には背面プレート２に形成された共用固定枠３１にはそれぞれビス穴３１０が設けられており、画材８の縦方向及び横方向に合わせてビス１２を用いて背面プレート２を先に壁１０などへビス止め固定することができる。【００１９】  次いで画材８を挟持して表面プレートを嵌着することができるように構成されている。
【産業上の利用可能性】
【００２０】  本発明のクリアアクリルフォトフレームは以上説明したような構成であるので、表面プレート１及びクリアアクリル製背面プレート２が完全な透明体であるので、両プレートより寸法の小さい画材８を展示するときには、画材８がプレート内で浮遊するように視覚できる。【００２１】  また、表面プレート１と一体的に形成された周縁フレーム１０に嵌着される背面プレート２によって、画材８を挟持するように構成されており、背面プレート２から一体的に形成され、弾力性を有する画材押え板４１の先端にそれぞれ画材押え突起４が形成されており、該画材押え突起４によって画材８が図４乃至図５に示すように押圧されて固定されて固定され、容易に移動することがない。【００２２】  また、画材８や表面プレート１からの押圧力が加えられた時でも、背面プレート２の四カ所の突起２１が表面プレート周縁フレーム１０の内側に形成された凹部１１に強固に嵌着されているので、画材８や表面プレート１が脱落することもなく、従来のような裏板補助ボードが不要であるので、この点でもコストダウンになるので産業上の利用価値が高いものである。
【符号の説明】
【００２３】    １    表面プレート
１０    周縁フレーム
１１    凹部
２    背面プレート
２１    突起
３１    共用固定枠
３１０    ビス穴
４    画材押え突起
４１    画材押え板
８    画材
９    スタンド
１００    壁
１２    ビス
【図１】
2017051575.tif 000003
【図２】
2017051575.tif 000004
【図３】
2017051575.tif 000005
【図４】
2017051575.tif 000006
【図５】
2017051575.tif 000007
【図６】
2017051575.tif 000008
【図７】
2017051575.tif 000009
【図８】
2017051575.tif 000010
【図９】
2017051575.tif 000011